(57)【要約】      （修正有）【課題】血管の穿刺位置への誘導行い、注射針が近づいても血管が逃げないように把持を行い、ガイドにより確実に血管内に針を刺入する装置により注射を素早く、確実に行う。【解決手段】本発明品は、生体組織内に内在する太い血管を所定の位置へ誘導、収束させる機構を有する装置、穿刺時に針や周りの組織から逃げた血管の位置、姿勢の矯正を行う機構を有する装置、注射針を誘導する機構を有する装置により構成される。【選択図】図１
2007144096.tif 000002
【特許請求の範囲】
【請求項１】
生体組織内に存在する血管を所定の位置へ収束させる機構、穿刺をする針が血管に当たっても逃げないように姿勢、位置を矯正する機構及び穿刺針を刺入するガイド機構からなることを特徴とする注射補助装置。
【請求項２】
請求項１の注射補助装置が被術者に貼付することを特徴とする請求項１記載の注射補助装置。
【請求項３】
請求項１の注射補助装置が被術者の皮膚表面に接した状態で使用することを特徴とする請求項１記載の注射補助装置。
【請求項４】
請求項１の血管の位置を所定の位置へ収束させる機構が、生体組織に対して、物理的状態の変化を与えることによることを特徴とする請求項１、２又は３記載の注射補助装置。
【請求項５】
請求項１の穿刺時に血管の姿勢、位置を矯正する機構が、生体組織に対して、物理的状態の変化を与えることによることを特徴とする請求項１、２又は３記載の注射補助装置。
【請求項６】
前記生体に対して物理的状態に変化を与える機構として、皮膚表面から血管を含む生体組織に対して陰圧負荷を与える機構を有することを特徴とする請求項４または５の注射補助装置。
【請求項７】
前記生体に対して物理的状態に変化を与える機構として、注射部位周辺の皮膚表面との接触面から生体組織に対して圧力を与える機構を有することを特徴とする請求項４又は５の注射補助装置。
【発明の詳細な説明】
【技術分野】
【０００１】
本発明は、血管への穿刺の補助具に関する。
【背景技術】
【０００２】
注射を行う際、血管が注射針の先端から逃げ血管内に注射針を穿刺することができず、複数回にわたって穿刺を試みることがある。このことは、被術者の苦痛を伴う肉体的負担をかけることになる。注射を含む血管への穿刺は迅速かつ正確に行う必要があるが、血管への注射針の穿刺はこれまで施術者の勘と経験に依存していた。
【０００３】
このような必要性に対し、注射針から静脈が逃げないように固定する穿刺補助道具が提案されている。
【特許文献１】特開２００３−７９７２４号公報
【発明の開示】
【発明が解決しようとする課題】
【０００４】
しかし提案されたような手法は、血管を固定することが可能であっても、それは穿刺箇所があらかじめ明らかになっていることが前提である。そのため、血管探索から注射針の穿刺という一連の動作がスムーズに行われないだけでなく、血管探査が困難な乳幼児や動物では複数回穿刺を試みる可能性がある。
【０００５】
そこで、本発明では、注射針の穿刺箇所が正確に分からなくても、注射を行う血管を所定の位置に誘導・収束させ、収束位置に注射を行うことで注射針を血管に穿刺することを可能とする特徴を持ち、更に注射針の先端が血管に当たっても血管が逃げないように把持する事が可能である用具を提供することを目的とする。
【０００６】
本発明品は、生体組織内に内在する太い血管を所定の位置へ誘導、収束させる機構を有する装置、穿刺時に注射針や周辺組織に押されて逃げた血管の位置、姿勢の矯正を行う機構を有する装置、注射針を誘導する機構を有する装置により構成される。また、穿刺時において被術者に装着や貼付することを可能とする装着具についても装備する。
【０００７】
血管位置の所定の位置への誘導および収束は、生体組織に物理的状態の変化を作用させる機構を有する装置で行う。
【０００８】
穿刺時に注射針が近づいても注射針や他の組織に押されて血管が移動しないようにするための血管の位置、姿勢の矯正は、生体組織に対して、物理的状態の変化を作用させる機構を有する装置で行う。
【０００９】
血管の損傷を最小限に抑えて穿刺針を誘導するガイドは、角度、位置を自由に変えることができる針のガイド装置を実装することで行う。
【発明の効果】
【００１０】
本発明を使用することで、従来は専門家の経験と勘に大きく依存していた血管への穿刺を、解剖学的な知識や臨床の経験が皆無であっても容易に実施することが可能になる。また、特にヒトに限らず、犬、猫などの動物に対しても使用できる。また、穿刺までの時間および回数を減らすことを可能とし、被術者の肉体的苦痛を減らすことが可能である。
【発明を実施するための最良の形態】
【００１１】
以下、本発明の好ましい実施形態を図面に基づいて説明する。
【００１２】
図１は本発明の実施の形態に係る、穿刺補助装置の使用状態の一例を示す。補助装置は、被術者に装着または貼付することで使用する。
【００１３】
1は補助装置に実装する、装置などを実装するための構造物である。2は皮膚表面上から生体組織に物理的状態の変化を作用させる機構を持つ装置。3は注射針のガイドである。腕に貼付または、装着して使用するため4のように粘着部分や、5のような固定具を備える。
【００１４】
図3は請求項６に係る実施形態の一例である。図3に示すように補助装置は皮膚表面に接触または貼付して使用する。6は皮膚との接触面を示し、7は陰圧発生機構を示し、8は内側に密閉空間を維持するための外殻である。9は注射針を挿入するガイドである。本装置を用いて皮膚表面から陰圧を皮膚表面から与えることで、皮膚および皮下組織に押されたり引っ張られたりすることで血管が周囲の組織と共に移動する。なお、周囲の組織は弾性変形が起こった後のため見かけ上硬くなり、血管の固定を行う効果がある。
【００１５】
なお、請求項6に係る実施形態は、図3のような半球状の形状である必要はない。同様に、陰圧を発生する機構についても外殻そのものが陰圧発生機構を兼ねても良い。また、外殻部分全体で皮膚表面を把持し上方へ引っ張る方法でも良い。
【００１６】
図4は請求項７に係る実施形態の一例である。図4に示すように補助装置は皮膚表面に接触または貼付して使用する。10は皮膚との接触面を示し、11は注射部位の皮膚表面を露出するための開口部である。12は周方向への張力を発生する装置である。本装置を用いることで、図3の装置と同様に血管周囲の組織から押されたり引っ張られたりすることで血管が周囲の組織と共に移動する。なお、周囲の組織は弾性変形が起こった後のため見かけ上硬くなり、血管の固定を行う効果がある。
【図面の簡単な説明】
【００１７】
【図１】本発明の実施形態に係わる代表的使用例の説明図である。
【図２】本発明の実施例の説明図である。
【図３】本発明の請求項６に係る実施例の説明図である。
【図４】本発明の請求項７に係る実施例の説明図である。
【符号の説明】
【００１８】
1 フレーム
2 物理的変化発生装置
3 注射針ガイド
4 貼付用粘着部
5 身体への固定装具
6 皮膚表面との接触部位または貼付部
7 陰圧発生機構
8 外殻
9 注射針ガイド
10 皮膚表面との接触部位または貼付部
11 開口部
12 周方向への張力発生機構
【図１】
2007144096.tif 000003
【図２】
2007144096.tif 000004
【図３】
2007144096.tif 000005
【図４】
2007144096.tif 000006